【事件の表示】
　国際登録第１２４９３６２号に係る国際商標登録出願の拒絶査定に対する審判事件について，次のとおり審決する。
【結論】
　原査定を取り消す。
　本願商標は，登録すべきものとする。
【理由】
１　本願商標
　本願商標は，別掲のとおりの構成からなり，第３類，第９類，第１４類，第１８類，第２５類及び第３５類に属する日本国を指定する国際登録において指定された商品及び役務を指定商品及び指定役務として，２０１４年（平成２６年）８月５日に国際商標登録出願されたものである。
　その後，その指定商品及び指定役務については，当審における２０１６年（平成２８年）１２月１９日付けで国際登録簿に記録された限定の通報があった結果，最終的に，第３類「Ｅｓｓｅｎｔｉａｌ　ｏｉｌｓ，ｈａｉｒ　ｏｉｌｓ，ｔａｌｃｕｍ　ｐｏｗｄｅｒ　ａｎｄ　ｂｅａｕｔｙ　ｃｒｅａｍｓ，Ｖａｓｅｌｉｎｅ，ｓｏａｐｓ；ｄｅｔｅｒｇｅｎｔｓ　ｏｔｈｅｒ　ｔｈａｎ　ｆｏｒ　ｕｓｅ　ｉｎ　ｍａｎｕｆａｃｔｕｒｉｎｇ　ｏｐｅｒａｔｉｏｎｓ　ａｎｄ　ｆｏｒ　ｍｅｄｉｃａｌ　ｐｕｒｐｏｓｅｓ；ｔｏｏｔｈ　ｐａｓｔｅ，ｓｈａｍｐｏｏｓ，ｂｏｄｙ　ｗａｓｈｅｓ，ｆａｃｅ　ｗａｓｈｅｓ，ｓｈａｖｉｎｇ　ｃｒｅａｍｓ，ａｆｔｅｒ　ｓｈａｖｅ　ｌｏｔｉｏｎｓ，ｈａｉｒ　ｌｏｔｉｏｎｓ，ｅｔｈｅｒｅａｌ　ｅｓｓｅｎｃｅ，ｂａｄｉａｎ　ｅｓｓｅｎｃｅ　ａｎｄ　ｍｉｎｔ　ｅｓｓｅｎｃｅ，ｐｏｔｐｏｕｒｒｉｓ［ｆｒａｇｒａｎｃｅｓ］ａｎｄ　ｐｅｒｆｕｍｅｒｙ　ｐｒｏｄｕｃｔｓ，ｂａｔｈ　ｇｅｌｓ，ｂｌｅａｃｈｉｎｇ　ｐｒｅｐａｒａｔｉｏｎｓ　ａｎｄ　ｏｔｈｅｒ　ｓｕｂｓｔａｎｃｅｓ　ｆｏｒ　ｌａｕｎｄｒｙ　ｕｓｅ；ｃｌｅａｎｉｎｇ，ｐｏｌｉｓｈｉｎｇ，ｓｃｏｕｒｉｎｇ　ａｎｄ　ａｂｒａｓｉｖｅ　ｐｒｅｐａｒａｔｉｏｎｓ；ｄｅｎｔｉｆｒｉｃｅｓ　ｂｅｉｎｇ　ｇｏｏｄｓ　ｉｎｃｌｕｄｅｄ　ｉｎ　ｔｈｉｓ　ｃｌａｓｓ．」，第９類「Ｓｕｎｇｌａｓｓｅｓ，ｇｌａｓｓｅｓ，ｆｒａｍｅｓ　ｆｏｒ　ｇｌａｓｓｅｓ；ｈｅａｄｐｈｏｎｅｓ，ＵＳＢ　ｄｒｉｖｅｓ，ｍａｇｎｅｔｉｃ　ｄａｔａ　ｃａｒｒｉｅｒｓ　ｎａｍｅｌｙ　ｄｏｎｇｌｅｓ；ｄａｔａ　ｃａｒｄｓ，ｎａｍｅｌｙ　ｄａｔａ　ｃｏｍｍｕｎｉｃａｔｉｏｎｓ　ａｐｐａｒａｔｕｓ　ｆｏｒ　Ｉｎｔｅｒｎｅｔ　ａｃｃｅｓｓ；ｔａｂｌｅｔｓ，ｅｙｅｇｌａｓｓ　ｃａｓｅｓ　ａｎｄ　ｅｙｅｇｌａｓｓ　ｃｈａｉｎｓ；ｔｅｌｅｃｏｍｍｕｎｉｃａｔｉｏｎ　ａｐｐａｒａｔｕｓ，ｐａｒｔｓ　ａｎｄ　ａｃｃｅｓｓｏｒｉｅｓ；ｃａｒｒｙｉｎｇ　ｃａｓｅｓ　ｆｏｒ　ｄｉｇｉｔａｌ　ａｕｄｉｏ　ｐｌａｙｅｒｓ；ｗｉｒｅｌｅｓｓ　ｄｅｖｉｃｅｓ　ｆｏｒ　ｔｒａｎｓｍｉｔｔｉｎｇ　ａｎｄ　ｒｅｃｅｉｖｉｎｇ　ｄａｔａ；ｔｅｌｅｐｈｏｎｅｓ，ｅｌｅｃｔｒｉｃ　ｒｅｇｕｌａｔｉｎｇ　ａｐｐａｒａｔｕｓ，ｃｏｍｐｕｔｅｒ；ｃｏｍｐｕｔｅｒｓ，ｃｏｍｐｕｔｅｒ　ｐｒｏｇｒａｍｍｅｓ，ｃｏｍｐｕｔｅｒｓ　ａｎｄ　ｃｏｍｐｕｔｅｒ　ｐｅｒｉｐｈｅｒａｌｓ，ｆｌｏｐｐｙ　ｄｉｓｋｓ，ｃｏｍｐｕｔｅｒ　ｓｏｆｔｗａｒｅ，ｃｏｍｐｕｔｅｒ　ｈａｒｄｗａｒｅ；ｃｏｍｐｕｔｅｒ　ｈａｒｄｗａｒｅ　ｆｏｒ　ｐａｒｔｓ　ａｎｄ　ａｃｃｅｓｓｏｒｉｅｓ．」，第１４類「Ｗａｔｃｈｅｓ，ｃｌｏｃｋｓ，ｔｉｍｅｐｉｅｃｅｓ，ｃｏｍｐｏｎｅｎｔｓ　ａｎｄ　ｐａｒｔｓ　ｔｈｅｒｅｏｆ，ｈｏｒｏｌｏｇｉｃａｌ　ｉｎｓｔｒｕｍｅｎｔｓ；ｃｕｆｆ　ｌｉｎｋｓ；ｐｒｅｃｉｏｕｓ　ｍｅｔａｌｓ　ａｎｄ　ｔｈｅｉｒ　ａｌｌｏｙｓ；ｊｅｗｅｌｌｅｒｙ，ｃｏｓｔｕｍｅ　ｊｅｗｅｌｌｅｒｙ，ｐｒｅｃｉｏｕｓ　ｓｔｏｎｅｓ　ａｎｄ　ｏｒｎａｍｅｎｔｓ［ｊｅｗｅｌｌｅｒｙ］；ｉｍｉｔａｔｉｏｎ　ｊｅｗｅｌｌｅｒｙ　ｂｅｉｎｇ　ｇｏｏｄｓ　ｉｎｃｌｕｄｅｄ　ｉｎ　ｔｈｉｓ　ｃｌａｓｓ．」，第１８類「Ｌｅａｔｈｅｒ　ａｎｄ　ｉｍｉｔａｔｉｏｎｓ　ｏｆ　ｌｅａｔｈｅｒ；ｌｅａｔｈｅｒ　ｐｕｒｓｅｓ，ｌｅａｔｈｅｒ　ｂａｇｓ，ｔｒａｖｅｌｌｉｎｇ　ｂａｇｓ，ｓｐｏｒｔｓ　ｂａｇｓ，ｈａｎｄ　ｂａｇｓ，ｓｈｏｕｌｄｅｒ　ｂａｇｓ，ｓｃｈｏｏｌ　ｂａｇｓ，ｂｒｉｅｆｃａｓｅｓ，ｓｈｏｐｐｉｎｇ　ｂａｇｓ；ｔｒｕｎｋｓ；ｓｕｉｔｃａｓｅｓ，ｗａｌｌｅｔｓ，ａｒｔｉｃｌｅｓ　ｍａｄｅ　ｆｒｏｍ　ｌｅａｔｈｅｒ，ｎａｍｅｌｙ　ｂａｇｓ　ｏｆ　ｌｅａｔｈｅｒ；ｓｋｉｎｓ，ｈｉｄｅｓ；ｕｍｂｒｅｌｌａｓ，ｐａｒａｓｏｌｓ　ａｎｄ　ｗａｌｋｉｎｇ　ｓｔｉｃｋｓ；ｗｈｉｐｓ，ｈａｒｎｅｓｓ，ｓａｄｄｌｅｒｙ；ｌｅａｔｈｅｒ，ｕｎｗｏｒｋｅｄ　ｏｒ　ｓｅｍｉ−ｗｏｒｋｅｄ；ｉｍｉｔａｔｉｏｎ　ｌｅａｔｈｅｒ；ｓｔｉｒｒｕｐ　ｌｅａｔｈｅｒｓ；ｇｉｒｔｈｓ　ｏｆ　ｌｅａｔｈｅｒ；ｃｈｉｎ　ｓｔｒａｐｓ，ｏｆ　ｌｅａｔｈｅｒ；ｂａｇｓ［ｅｎｖｅｌｏｐｅｓ，ｐｏｕｃｈｅｓ］ｏｆ　ｌｅａｔｈｅｒ，ｆｏｒ　ｐａｃｋａｇｉｎｇ；ｌｅａｔｈｅｒ　ｌｅａｄｓ；ｂａｇｓ；ｔｏｏｌ　ｂａｇｓ　ｏｆ　ｌｅａｔｈｅｒ，ｅｍｐｔｙ．」，第２５類「Ｃｌｏｔｈｉｎｇ　ａｎｄ　ｗｅａｒｉｎｇ　ａｐｐａｒｅｌ　ｏｆ　ａｌｌ　ｓｏｒｔｓ　ｉｎｃｌｕｄｉｎｇ　ｈｏｓｉｅｒｙ，ｉｎｎｅｒ　ｗｅａｒ，ｕｎｄｅｒｇａｒｍｅｎｔｓ，ｆｏｏｔｗｅａｒ，ｈｅａｄｇｅａｒ，ｓｐｏｒｔｓｗｅａｒ　ａｎｄ　ｋｉｄｓｗｅａｒ；ｃａｐｓ，ｓｏｃｋｓ，ｔ−ｓｈｉｒｔｓ，ｓｈｉｒｔｓ，ｔｒｏｕｓｅｒｓ，ｓｕｉｔｓ，ｂｌａｚｅｒｓ，ｎｅｃｋｔｉｅｓ，ｂｅｌｔｓ（ｃｌｏｔｈｉｎｇ），ｒｅａｄｙ−ｍａｄｅ　ｇａｒｍｅｎｔｓ，ｗｉｎｄｃｈｅａｔｅｒｓ，ｓｃａｒｖｅｓ，ｓｔｏｌｅｓ　ｂｅｉｎｇ　ｇｏｏｄｓ　ｉｎｃｌｕｄｅｄ　ｉｎ　ｔｈｉｓ　ｃｌａｓｓ；ｗａｉｓｔ　ｂｅｌｔｓ，ｇｌｏｖｅｓ，ｊａｃｋｅｔｓ，ｂｅｌｔｓ　ｏｆ　ｌｅａｔｈｅｒ［ｃｌｏｔｈｉｎｇ］．」及び第３５類「Ｒｅｔａｉｌ　ｓｅｒｖｉｃｅｓ　ｏｒ　ｗｈｏｌｅｓａｌｅ　ｓｅｒｖｉｃｅｓ　ｆｏｒ　ｃｌｏｔｈｉｎｇ；ｔｈｅ　ｂｒｉｎｇｉｎｇ　ｔｏｇｅｔｈｅｒ，ｆｏｒ　ｔｈｅ　ｂｅｎｅｆｉｔ　ｏｆ　ｏｔｈｅｒｓ，ｏｆ　ａ　ｖａｒｉｅｔｙ　ｏｆ　ｔｈｅ　ａｆｏｒｅｍｅｎｔｉｏｎｅｄ　ｇｏｏｄｓ　ｔｈｅｒｅｂｙ　ｅｎａｂｌｉｎｇ　ｃｕｓｔｏｍｅｒｓ　ｔｏ　ｃｏｎｖｅｎｉｅｎｔｌｙ　ｖｉｅｗ　ａｎｄ　ｐｕｒｃｈａｓｅ　ｔｈｏｓｅ　ｇｏｏｄ　ｉｎ　ａ　ｍａｌｌ，ｓｔｏｒｅ，ｒｅｔａｉｌ　ｏｕｔｌｅｔ（ｅｘｃｌｕｄｉｎｇ　ｔｈｅ　ｔｒａｎｓｐｏｒｔ　ｔｈｅｒｅｏｆ）ｅｎａｂｌｉｎｇ　ｃｕｓｔｏｍｅｒｓ　ｔｏ　ｃｏｎｖｅｎｉｅｎｔｌｙ　ｖｉｅｗ　ａｎｄ　ｐｕｒｃｈａｓｅ　ｔｈｅ　ａｆｏｒｅｓａｉｄ　ｇｏｏｄｓ（ｏｔｈｅｒ　ｔｈａｎ　ｒｅｔａｉｌ　ａｎｄ　ｗｈｏｌｅｓａｌｅ　ｓｅｒｖｉｃｅｓ）；ｏｒｇａｎｉｓｉｎｇ　ｅｘｈｉｂｉｔｉｏｎｓ．」となったものである。
２　原査定の拒絶の理由
　原査定は，次の（１）及び（２）のとおり，認定，判断し，本願を拒絶したものである。
　（１）本願の第３類，第９類，第１４類，第１８類及び第３５類に属する指定商品及び指定役務は，その表示の内容及び範囲が不明確であるため，商標法第６条第１項の要件を具備しない。
　（２）本願商標は，第９類，第１４類及び第１８類については，広い範囲にわたる商品を指定しており，第３５類の指定役務には複数の小売等役務が含まれているため，その指定商品及び指定役務のすべてについて商標の使用又は使用の意思があるかについて合理的な疑義があるため，商標法第３条第１項柱書の要件を具備しない。
３　当審の判断
　本願の指定商品及び指定役務は，前記１のとおり，当審における限定の結果，いずれもその内容及び範囲が明確なものになったと認められるから，本願の指定商品及び指定役務は，商標法第６条第１項の規定の要件を具備するものとなった。
　また，本願の指定商品及び指定役務は，前記１のとおり，当審における限定の結果，本願商標について，商標の使用又は使用の意思があることに疑義がなくなったものと認められる。したがって，本願商標は，商標法第３条第１項柱書の要件を具備するものとなった。
　以上のとおり，本願を拒絶した原査定の拒絶の理由は，すべて解消した。
　その他，本願について拒絶の理由を発見しない。
　よって，結論のとおり審決する。